(57)【要約】【課題】  陳列棚の幅寸法に合わせた適切な長さに設定することができ、施工作業の簡単な照明装置を提供する。【解決手段】  器具本体と、この器具本体の長手方向に沿って設けられたプラス端子及びマイナス端子と、前記プラス端子及び前記マイナス端子と導通するように接続された光源と、前記プラス端子又は前記マイナス端子に通電する一対の電源供給端子とを有する照明器具において、一対の前記電源供給端子が前記器具本体の内部に収容され、前記電源供給端子の少なくとも一方が、前記器具本体の一端から前記器具本体の軸線と同方向にスライド自在である構成としてある。【選択図】  図１
2014056647.tif 000002
【特許請求の範囲】
【請求項１】
器具本体と、この器具本体の長手方向に沿って設けられたプラス端子及びマイナス端子と、前記プラス端子及び前記マイナス端子と導通するように接続された光源と、前記プラス端子又は前記マイナス端子に通電する一対の電源供給端子とを有する照明器具において、
一対の前記電源供給端子が前記器具本体の内部に収容され、前記電源供給端子の少なくとも一方が、前記器具本体の一端から前記器具本体の軸線と同方向にスライド自在であること、
を特徴とする照明器具。
【請求項２】
前記電源供給端子の先端に係合部を形成し、外部電源に接続された外部端子に係脱自在に係合させることを特徴とする請求項１に記載の照明器具。
【請求項３】
スライド自在な前記電源供給端子が付勢手段によって前記器具本体から突出する方向に付勢されていることを特徴とする請求項１又は２に記載の照明器具。
【請求項４】
前記外部端子と前記係合部とを、前記外部端子の移動に追随して前記電源供給端子がスライドするよう係合させたことを特徴とする請求項１〜３のいずれかに記載の照明器具。
【請求項５】
前記電源供給端子が、前記器具本端の一端に設けられた非導電性のスライドガイドに支持され、前記スライドガイドは、前記電源供給端子のスライドを案内するガイド孔又はガイド溝を有することを特徴とする請求項１〜４のいずれかに記載の照明器具。
【請求項６】
前記スライドガイドが、シリコン樹脂又はこれと同等の滑り摩擦係数を有する樹脂で形成されていることを特徴とする請求項５に記載の照明器具。
【発明の詳細な説明】
【技術分野】
【０００１】
本発明は、物品を収納・陳列する棚やケースに設けられたり、店頭のショーウインドゥや室内外の天井面・壁面等に設けられる照明器具に関する。
【背景技術】
【０００２】
従来、商品を陳列する棚やケースの照明は、スポットライトが主流であり、棚全体を明るく照らすことができないという問題があった。また、前記スポットライトに変えて例えば低電圧で駆動する蛍光灯のような照明器具で棚全体を照明することも行われているが、照明器具自体が大きく、せっかくの陳列範囲を狭めてしまうという問題点があるほか、照明器具が目立つという問題があった。特に、オープン形式の陳列棚の他にガラスショーケースのような美観を重要視する陳列棚には不向きであった。
かかる問題点を解決するために、本発明の発明者は、棚やケースに設けれ、棚板を受ける棚受金具等に載置するだけで複数の発光体（ＬＥＤ）を点灯させることのできる照明器具を提案した（特許文献１，２参照）。
この照明器具は、従来の陳列棚やショーケースの概念を変えるものとして、種々の展示会や商談会で好評を得ている。
【先行技術文献】
【特許文献】
【０００３】
【特許文献１】特開２０１２−１３４０４０号公報
【特許文献２】特開２０１２−４０３３４号公報
【発明の概要】
【発明が解決しようとする課題】
【０００４】
しかし、上記した先の出願に記載の照明器具は、棚柱と棚柱の間やショーケースの内面のように対向する壁面間に照明器具を配置する場合に、以下のような問題がある。
（１）  器具本体の上に電源供給端子が設けられているため、照明器具の高さが高くなり、さらにその上に棚板を載せると棚板の高さが高くなるうえ、照明器具が目立って外観上好ましくない。
（２）  温度変化や光源の発熱、加重等により、ショーケースや棚等が湾曲状に変形したり膨張・収縮したりすると、照明器具に電源を供給する外部端子の距離が変化し、この変化に電源供給端子が追随できずに外部端子や電源供給端子が破損したり、接触不良が生じたりする。照明器具の器具本体が膨張・収縮する場合も同様である。
（３）  外部端子の間隔に合わせて照明器具の器具本体の長さを精密に設計・製作する必要があり、コスト高になる。
（４）  一つの照明器具を寸法が近似する他のショーケース等に転用することができず、融通が利かない。
本発明は、上記（１）〜（４）の問題を一挙に解決することのできる照明装置の提供を目的とする。
【課題を解決するための手段】
【０００５】
上記目的を達成するため、本発明の照明装置は、器具本体と、この器具本体の長手方向に沿って設けられたプラス端子及びマイナス端子と、前記プラス端子及び前記マイナス端子と導通するように接続された光源と、前記プラス端子又は前記マイナス端子に通電する一対の電源供給端子とを有する照明器具において、一対の前記電源供給端子が前記器具本体の内部に収容され、前記電源供給端子の少なくとも一方が、前記器具本体の一端から前記器具本体の軸線と同方向にスライド自在である構成としてある。
このように構成すれば、前記電源供給端子を器具本体の内側に収容することができ、照明器具の高さを器具本体の高さにほぼ一致させることが可能になって、照明器具を目立たなくすることができる。
また、照明器具の長さを可変にすることができ、外部端子の距離が変化してもこれに追随させることができるほか、寸法の近似する他のショーケース等に転用が可能になり、融通性が高くなる。
【０００６】
また、前記電源供給端子の先端に係合部を形成し、外部電源に接続された外部端子に係脱自在に係合させるようにしてもよく、この場合、前記外部端子と前記係合部とを、前記外部端子の移動に追随して前記電源供給端子がスライドするよう係合させるとよい。例えば、前記外部端子の凹部又は凸部に、凸状又は凹状の前記係合部を係合させるようにするとよい。
このように構成することで、ショーケース等の変形や膨張・収縮にともなう外部端子の移動に追随して電源供給端子がスライドすることができ、電源供給端子や外部端子等の破損及び接触不良を防止できる。
前記電源供給端子が、前記器具本端の一端に設けられた非導電性のスライドガイドに支持され、前記スライドガイドは、前記電源供給端子のスライドを案内するガイド孔又はガイド溝を有するようにしてもよい。この場合、前記非導電性の部材は、シリコン樹脂又はこれと同等の滑り摩擦係数を有する樹脂で形成するとよい。
このようにすることで、電源供給端子が不用意に器具本体から脱落することがなく、電源供給端子を所定長さ器具本体から引き出した状態で停止させることができ、電源供給端子と外部端子との位置合わせを行う際の作業性が高くなる。
【発明の効果】
【０００７】
本発明は上記のように構成されているので、照明器具の高さを器具本体の高さの範囲内に収めることができ、器具本体の高さを小さくすることで棚板を載せたときに照明器具を目立なくすることができる。
また、ショーケースや支持部材が温度変化や加重等により湾曲状に変形したり膨張・収縮したりしても、これに電源供給端子がこれに追随して機器本体に対してスライドできるので電源供給端子や外部端子が破損したり、接触不良が生じるおそれが小さい。照明器具の器具本体が膨張・収縮する場合も同様である。
さらに、電源供給端子をスライドさせることで照明器具の全長を調整できるので、外部端子等の間隔に合わせて照明器具の器具本体の長さを精密に設計・製作する必要がなく、コストも安く抑えることができる。また、一つの照明器具を寸法が近似する他のショーケース等に転用することも可能になる。
【発明を実施するための最良の形態】
【０００８】
以下、本発明の好適な実施形態について図面を参照しながら詳細に説明する。
図１は本発明の照明器具の一実施形態にかかり、（ａ）はその全体構成を説明する一部を破断した分解斜視図、（ｂ）は電源供給端子の部分を拡大した部分拡大図、（ｃ）は本発明の照明器具の組立全体斜視図である。
また、図２（ａ）はカバーを外した状態の本発明の照明器具の平面図、図２（ｂ）は底面図、（ｃ）は正面（背面）図、（ｄ）は左（右）側面図、図３は、外部端子と電源供給端子、スライドガイド及び器具本体との位置関係を示す拡大側面図である。
なお、この実施形態の照明器具は長尺帯状のものであるから、各図において長手方向の一部を省略している。
【０００９】
図１に示すように、照明器具１は、一面が開口した断面コの字状の器具本体１０と、この器具本体１０の底部に平行に配設された一対の端子１１，１１と、この端子１１，１１の上に載置される回路基板１２と、器具本体１０の両端に設けられた電源供給端子１４とを有する。
【００１０】
［器具本体］
器具本体１０は、ショーケース等の幅に合わせた寸法でカットされた樹脂又は金属の帯状体で、アルミや真鍮、銅、ステンレス等の導電性の金属で形成する場合には、後述の端子１１，１１や電源供給端子１４との間で短絡を生じないように内面に絶縁被覆を形成する。非導電性の樹脂で形成する場合は、光源等の発する熱によって容易に変形等を起こさない耐熱性の高い樹脂、例えば、ポリカーボネート（ＰＣ）やポリアミド（ＰＡ）、高分子ポリエチレン（ＨＰＥ）、ポリアセタール（ＰＯＭ）などのエンジニアリングプラスチックを用いるのが好ましい。
装置本体１０の長さは、例えばショーケースに本発明の照明器具１を用いる場合は、通常３０ｃｍ〜１ｍ程度である。
また、外観性の観点から、器具本体１０の肉厚Ｈ（図１（ｂ）参照）は、後述の回路基板１２や光源１３を収容できる範囲内で可能な限り小さいものであるのが好ましい。
【００１１】
［光源及び回路基板］
光源１３は照明として利用が可能なものであれば特に限定はされず、電球や蛍光灯、発光ダイオード等であってもよいが、可能な限り小型又は薄肉で輝度の高いものが好ましく、ＬＥＤとするのが好適である。
回路基板１２はこの光源１３を点灯させるための回路を組み込んだもので、板状のものの他、回路をプリントしたテープ状のものやフィルム状のものも含まれる。
なお、回路基板１２と器具本体１０とは別体であってもよいが一体であってもよい。例えば、前記回路を器具本体１０の内面に形成又はプリントすることで、器具本体１０を回路基板として利用することが可能である。
【００１２】
［端子］
端子１１，１１は、回路基板１２を介して光源１３に電源を供給するためのもので、器具本体１０の底面に互いに絶縁状態で平行配置され、一方がプラスに他方がマイナスに接続される。なお、端子１１，１１は器具本体１０の底部に限らず側壁や底部と側壁の境界部分に設けてもよいし、器具本体１０と別体に形成された回路基板１２に端子１１，１１を設けてもよい。
端子１１，１１は、図示するような一定の幅を有する帯状のものであってもよいし、線状のものであってもよい。
【００１３】
［電源供給端子］
電源供給端子１４は、電源供給源に接続された外部端子と接触して端子１１，１１及び回路基板１２を介して光源１３に電源を供給するためのもので、器具本体１０に対して器具本体１０の軸線Ｃと平行方向にスライド自在なスライダ１４ａと、このスライダ１４ａの先端の一部をほぼ直角に屈曲させて形成され、前記外部端子と係合する係合部１４ｂとを有する。スライダ１４ａと端子１１，１１とは、導線１６によって接続する。係合部１４ｂの形状は、前記外部端子と係合できるものであればよい。
【００１４】
例えば、図１（ｃ）、ショーケースの内壁や陳列棚の棚柱に差し込んで棚受け用に用いる外部端子としてのピン状の支持金具４の一例を示す。この支持金具４は、電源供給端子１１と接触する金属製の導通部４２と、この導通部４２の一端に形成されショーケースの内壁や陳列棚の棚柱の孔に差し込まれる軸部４３と、導通部４２の他端に嵌め込まれた絶縁カバー４１とを有する。絶縁カバー４１は、利用者の指等の身体の一部が不用意に導通部４２に接触しないようにするためのもので、前記内壁や棚柱と絶縁カバー４１との間の隙間Ｓの寸法として、指等の身体の一部が入らないものを選択する。ショーケースの内壁や陳列棚の棚柱には、外部電源に接続された導通部が形成されていて、この導通部に導通部４２が接触することで、外部電源と電源供給端子１４とを電気的に接続する。絶縁カバー４１は、利用者の身体の一部が導通部４２に接触しないようにするとともに、棚板が滑らないように載置するためのもので、ゴムや樹脂等の絶縁性の材料で形成され、ショーケースの内壁や陳列棚の棚柱と絶縁カバー４１との間に電源供給端子１４の係合部１４ｂが嵌り込むだけの隙間を残して、導通部４２を被覆する。
このようなピン状の支持金具４を前記外部端子として利用する場合は、係合部１４ｂは、軸状の導通部４２に係合する凹部を備えた形状とするのがよい。
【００１５】
［スライドガイド］
電源供給端子１４をスライド自在に支持するスライドガイド１５は、器具本体１０の両端に設けられる。
スライドガイド１５は非導電性の材料で形成され、シリコン樹脂又はこれと同等の滑り摩擦係数を有する樹脂で形成するのが好ましい。
スライドガイド１５は、スライダ１４ａと嵌合してスライダ１４ａの軸線方向Ｃのスライドを案内するとともに、スライダ１４ａとの間の適度な摩擦力によってスライダ１４ａが器具本体１０から容易に脱落しないように保持するガイド溝（又はガイド孔）１５ａを備える。
スライドガイド１５によって支持される電源供給端子１４の位置及び電源供給端子１４の各部の寸法は、図３に示すように、電源供給端子１４が支持金具４の移動に追随してスライドしても、支持金具４が絶縁カバー４１、スライドガイド１５及び器具本体１０と干渉しないものを選択する。
【００１６】
［カバー］
器具本体１０には、光源１３の光を拡散させたり、外部から回路基板１２を保護又は見えにくくしたりする透光性のカバー１８を設けてもよい。
図示の照明装置１では、カバー１８の器具本体１０の両端に相当する部位を切り欠いているが、これは、外部端子（支持金具４）の移動に追随して電源供給端子１４がスライドした際に、カバー１８と外部端子（支持金具４）とが干渉しないようにするためである。
なお、器具本体の高さＨ（図１（ｂ）参照）を高くすることで、カバー１８と外部端子（支持金具４）との干渉を防止するための前記切欠を不要にできる。
【００１７】
この実施形態の照明装置の作用を、図４及び図５を参照しながら説明する。
図４は、電源供給端子がスライドする様子を説明する部分拡大正面図、図５は、本発明の照明器具をショーケースに適用した場合におけるショーケースの天板側の一部を破断した斜視図である。
箱状のショーケース３は、対向する内壁３１，３１に支持金具４の差し込み孔３２が上下方向に複数形成されている。この差し込み孔３２には、支持金具４の金属製の軸部４３を介して導通部４２に電源を供給するための金具が埋設され、内壁３１，３１の内部には、前記金具に接続された導線３４が配線されている。
本発明の照明器具１は、両端の電源供給端子１４，１４の係合部１４ｂを導通部４２に接触させるように支持金具４に引っ掛ける。この際、対向する内壁３１，３１に取り付けられた支持金具４，４間の距離に合わせて、器具本体１０からの電源供給端子１４，１４の引き出し量を調整することができる。
ショーケース３は気温の変化や加重等により湾曲状に変形したり膨張・収縮したりする。この変形や膨張・収縮にともなって支持金具４，４間の距離も長短変化する。本発明の照明器具１は、図４（ａ）（ｂ）に示すように、支持金具４，４の導通部４２，４２に電源供給端子１４，１４の係合部１４ｂ，１４ｂを引っ掛けて係合させているので、ショーケース３の変形や膨張・収縮にともなう支持金具４，４の移動に追随して電源供給端子１４，１４が器具本体１０に対してスライドし、支持金具４，４間の距離の変化を吸収することができる。
従って、ショーケース３の変形や膨張・収縮による支持金具４，４や電源供給端子１４，１４の破損、接触不良等を防止することができる。照明器具１の器具本体１０が膨張・収縮する場合も同様である。
【００１８】
図６は本発明の照明器具の他の実施形態にかかり、（ａ）はその全体構成を説明する一部を破断した分解斜視図、（ｂ）は電源供給端子部分の拡大分解斜視図である。
また、図７（ａ）はカバーを外した状態の本発明の照明器具の平面図、（ｂ）は底面図、（ｃ）は正面（背面）図、（ｄ）は左（右）側面図、図３は、外部端子と電源供給端子、スライドガイド及び器具本体との位置関係を示す拡大側面図である。
なお、この実施形態においても照明器具２は長尺帯状のものであるから、各図において長手方向の一部を省略している。
【００１９】
図６に示すように、照明器具２は、一面が開口した断面円形状の器具本体２０と、この器具本体２０の底部に平行に配設された一対の端子２１，２１と、この端子２１，２１の上に載置される回路基板２２と、器具本体２０の両端に設けられた電源供給端子２４とを有する。
【００２０】
［器具本体、回路基板及び光源］
器具本体２０は、断面形状が異なる以外は、基本構成は先の実施形態の器具本体１０と同じである。また、光源２３及び回路基板２２についても基本構成は先の実施形態と同じで、先の実施形態の回路基板１２及び光源１３と同じものを用いてもよい。
【００２１】
［端子］
回路基板２２を介して光源２３に電源を供給する端子２１，２１は、器具本体２０の底面に互いに絶縁状態で平行配置され、一方の端子２１の先端は後述する一方のばね受け２６に電気的に接続され、他方の端子２１の先端は他方のばね受け２６に電気的に接続される。
【００２２】
［電源供給端子］
金属等の導通性の部材で形成された電源供給端子２４は、外部端子と接触することで端子２１，２１を介して回路基板２２及び光源１３に電源を供給する。
この実施形態の電源供給端子２４は、器具本体２０の両端に、後述のスライドガイド２５を介して、器具本体２０の軸線Ｃと平行方向にスライド自在に挿入されている。電源供給端子２４には有底の孔２４ａが形成され、この孔２４ａに金属等の導通性の部材で形成されたばね２７が嵌装される。電源供給端子２４から突出するばね２７の一端は、器具本体２０の両端の近傍に配置され、金属等の導通性の部材で形成されたばね受け２６，２６に当接している。これにより、電源供給端子２４はばね２７の付勢力により器具本体２０から突出する方向に付勢されるとともに、外部の電源供給源から供給された電源は、電源供給端子２４、ばね２７、ばね受け２６、端子２１を経て回路基板２２及び光源２３に供給される。
【００２３】
前記した外部端子の構成としては、例えば図６（ｂ）に示すようにものを挙げることができる。この外部端子は、ショーケースの内壁３１等に形成され孔３２と、この孔３２の底部に配置され外部の電源供給源に接続された導通板３５とから構成される。孔３２の内面は樹脂等でコーティングし、指を差し込んでも導通部分に指先が接触しないようにするのが好ましい。孔３２の底部に導通板３５が位置し、この導通板３５に電源供給端子２４が接触することで、外部電源の電源を回路基板２２に供給することが可能になる。導通板３５は、ショーケース等の内壁３１の内側に埋め込むことで、感電等の危険を防止することができる。
【００２４】
［スライドガイド］
電源供給端子２４をスライド自在に嵌装した状態で支持する筒状のスライドガイド２５は、器具本体２０の両端に嵌め込んで取り付けられる。この実施形態においてもスライドガイド２５は非導電性の材料で形成され、シリコン樹脂又はこれと同等の滑り摩擦係数を有する樹脂で形成するのが好ましい。
スライドガイド２５には、電源供給端子２４のスライド方向と同方向に溝２５ａが形成され、この溝２５ａに電源供給端子２４を手動でスライドさせるためのレバー２４ｂが係合し、溝２５ａの端部にレバー２４ｂが当接することで、ばね２７に付勢されても電源供給端子２４がスライドガイド２５から脱出しないようにしている。
【００２５】
［カバー］
器具本体２０には、光源２３の光を拡散させたり、外部から回路基板２２を保護又は見えにくくしたりする透光性のカバー２８を設けてもよい。
上記構成の照明器具２の利点として、先の実施形態の支持金具４のような部材が不要となり、図９に示すようにショーケースの内壁３１等に形成された孔３２に電源供給端子２４を差し込むだけでよく、構成が簡素にできること、支持金具４が不要になる分だけ棚板３３の高さを低くすることができるとともに、照明器具２を目立たなくすることでできること、図８に示すように、電源供給端子４を軸として器具本体２０を回転させることができることから、光源２３による照明の向きを自在に調整できること等が挙げられる。
【００２６】
以上、本発明の実施の形態を説明してきたが、本発明はこれに限定されるものではなく、本発明の要旨を変更しない限り、様々な態様で実施し得るものである。
例えば、器具本体１０の形状は図示するような直線状に限らず、円弧状、波状、屈曲状等の種々の形状を選択することが可能で、断面形状もコの字状に限らずＣ字状やＪ字状、Ｕ字状等の種々の形態を選択することが可能である。
また、器具本体１０の全体又は一部を透明又は半透明な樹脂やガラスで形成することも可能である。
さらに、一対の電源供給端子１４のうちスライド自在にするのはいずれか一方だけでもよい。
【産業上の利用可能性】
【００２７】
本発明の照明器具は、商品を陳列する棚やショーケース、ショーウィンドウのほか、室内外の壁面や天井、梁、柱等に掛けて一般的な照明器具として用いることも可能である。
【図面の簡単な説明】
【００２８】
【図１】本発明の照明器具の一実施形態にかかり、（ａ）はその全体構成を説明する一部を破断した分解斜視図、（ｂ）は電源供給端子の部分を拡大した部分拡大図、（ｃ）は本発明の照明器具の組立全体斜視図である。
【図２】図２（ａ）はカバーを外した状態の本発明の照明器具の平面図、図２（ｂ）は底面図、（ｃ）は正面（背面）図、（ｄ）は左（右）側面図である。
【図３】外部端子と電源供給端子、スライドガイド及び器具本体との位置関係を示す拡大側面図である。
【図４】電源供給端子がスライドする様子を説明する部分拡大正面図である。
【図５】本発明の照明器具をショーケースに適用した場合におけるショーケースの天板側の一部を破断した斜視図である。
【図６】本発明の照明器具の他の実施形態にかかり、（ａ）はその全体構成を説明する一部を破断した分解斜視図、（ｂ）は電源供給端子の部分を拡大した部分拡大図、（ｃ）は本発明の照明器具の組立全体斜視図である。
【図７】（ａ）はカバーを外した状態の本発明の照明器具の平面図、（ｂ）は底面図、（ｃ）は正面（背面）図、（ｄ）は左（右）側面図である。
【図８】棚板を載せた状態におけるこの実施形態の照明器具の作用を説明する拡大側面図である。
【図９】電源供給端子がスライドする様子を説明する部分拡大正面図である。
【図１０】本発明の他の実施形態にかかり、カバーを付けた状態の照明器具の参考写真である。
【符号の説明】
【００２９】
１      照明器具
１０    器具本体
１１    端子
１２    回路基板
１３    光源
１４    電源供給端子
１４ａ  スライダ
１４ｂ  係合部
１５    スライドガイド
１５ａ  ガイド溝
１６    導線
２      照明器具
２０    器具本体
２１    端子
２２    回路基板
２３    光源
２４    電源供給端子
２４ａ  孔
２４ｂ  レバー
２５    スライドガイド
２５ａ  溝
２６    ばね受け
２７    ばね
３      ショーケース
３１    側壁
３２    差し込み孔
３３    棚板
３４    導線
４      支持金具（外部端子）
４１    絶縁カバー
４２    導通部
４３    軸部
【図１】
2014056647.tif 000003
【図２】
2014056647.tif 000004
【図３】
2014056647.tif 000005
【図４】
2014056647.tif 000006
【図５】
2014056647.tif 000007
【図６】
2014056647.tif 000008
【図７】
2014056647.tif 000009
【図８】
2014056647.tif 000010
【図９】
2014056647.tif 000011
【図１０】
2014056647.tif 000012